(57)【要約】      （修正有）【課題】携帯端末の周囲を適切に保持して携帯端末を保護することができる硬質の携帯端末用ケースを提供する。【解決手段】携帯端末の周囲の第１辺から第３辺の３辺を保持する硬質の保持枠１０と、保持枠１０の開口部分に固定して携帯端末の第４辺を保持する硬質の固定枠３０と、を備え、固定枠３０は、保持枠１０の開口部分に配置し、携帯端末の第４辺に当接させて保持枠１０に向けて移動させることで保持枠１０の側面に向けて外側から回動する固定部材３７を有し、固定部材３７は、保持枠１０の側面に具備させた係合部１８に係合して固定枠３０が保持枠１０から離れる方向に移動するのを抑止する係止部を有している。【選択図】図１
0003198459.tif 000002
【実用新案登録請求の範囲】
【請求項１】
携帯端末の周囲を保持する携帯端末用ケースであって、
前記携帯端末の周囲の第１辺から第３辺の３辺を保持する硬質の保持枠と、
前記保持枠の開口部分に固定して前記携帯端末の第４辺を保持する硬質の固定枠と、を備え、
前記固定枠は、前記保持枠の開口部分に配置し前記携帯端末の第４辺に当接させて前記保持枠に向けて移動させることで前記保持枠の側面に向けて外側から回動する固定部材を有し、
前記固定部材は、前記保持枠の側面に具備させた係合部に係合して前記固定枠が前記保持枠から離れる方向に移動するのを抑止する係止部を有している、ことを特徴とする携帯端末用ケース。
【請求項２】
前記固定部材は、該固定部材の回動軸に対して内側に前記携帯端末の第４辺に当接する当接部を有し、前記回動軸の外側に前記係止部を有している、請求項１に記載の携帯端末用ケース。
【請求項３】
前記係合部は、前記保持枠の厚み方向に設けられた係合ピンで構成され、
前記固定部材の係止部は、前記係合ピンに係合して前記係合ピンの係合状態を保つ係止溝で構成されている、請求項１又は２に記載の携帯端末用ケース。
【請求項４】
前記係合部は、前記保持枠の側面から内側に延びる係合溝で構成され、
前記固定部材の係止部は、前記係合溝に係合して係合状態を保つ係止片で構成されている、請求項１又は２に記載の携帯端末用ケース。
【請求項５】
前記固定部材は、プラスチック材で形成されている、請求項１〜４のいずれか１項に記載の携帯端末用ケース。
【請求項６】
前記保持枠は、該保持枠で保持する前記携帯端末の裏面を保護する裏面カバー部と、前記裏面カバー部から延設されて前記携帯端末の表面をカバーする表面カバー部と、を有するカバー部材を備えている、請求項１〜５のいずれか１項に記載の携帯端末用ケース。
【考案の詳細な説明】
【技術分野】
【０００１】
本考案は、携帯電話やタブレット端末などの携帯端末を保持する携帯端末用ケースに関する。
【背景技術】
【０００２】
従来、携帯電話やタブレット端末などの携帯端末（この明細書及び実用新案登録請求の範囲の書類中おける「携帯端末」は、これらを含む携帯できる端末機器をいう）を、携帯端末用ケースに入れて持ち歩く人が多い。携帯端末用ケースは、端末本体を落としても損傷しないように保護したい場合や、外観デザインを自分の好みにしたい場合などに用いられる。
【０００３】
この種の先行技術として、例えば、可撓性素材によって形成され、携帯端末の側面などの周囲を覆うように被せる携帯端末用ケースがある（例えば、特許文献１参照）。
【０００４】
また、他の先行技術として、携帯端末本体の表面を覆う第一蓋体と背面を覆う第二蓋体との間に折り曲げ部を設け、携帯端末本体に貼り付けた接着体を折り曲げ部に縫合した仮止具に着脱可能に固着することで、大きさや形態が異なる携帯端末を収容するものもある（例えば、特許文献２参照）。
【先行技術文献】
【特許文献】
【０００５】
【特許文献１】特開２０１４−１０７５７５号公報
【特許文献２】特許第５４１６２９９号公報
【考案の概要】
【考案が解決しようとする課題】
【０００６】
しかしながら、上記特許文献１の場合は、可撓性の素材であるため持ったときに柔軟な感覚を嫌う利用者には適さない。一方、上記特許文献２の場合は、大きさや形態が異なる携帯端末を収容するようにしているため、使用中に携帯端末にズレや傾きなどを生じて、安定した保持が難しい場合がある。
【０００７】
そこで、本考案は、携帯端末の周囲を適切に保持して携帯端末を保護することができる硬質の携帯端末用ケースを提供することを目的とする。
【課題を解決するための手段】
【０００８】
上記目的を達成するために、本考案は、携帯端末の周囲を保持する携帯端末用ケースであって、前記携帯端末の周囲の第１辺から第３辺の３辺を保持する硬質の保持枠と、前記保持枠の開口部分に固定して前記携帯端末の第４辺を保持する硬質の固定枠と、を備え、前記固定枠は、前記保持枠の開口部分に配置し前記携帯端末の第４辺に当接させて前記保持枠に向けて移動させることで前記保持枠の側面に向けて外側から回動する固定部材を有し、前記固定部材は、前記保持枠の側面に具備させた係合部に係合して前記固定枠が前記保持枠から離れる方向に移動するのを抑止する係止部を有している。この明細書及び実用新案登録請求の範囲の書類中では、保持枠の中心側を「内側」、保持枠の外方を「外側」という。
【０００９】
この構成により、保持枠によって携帯端末の第１辺から第３辺を保持し、第４辺に固定枠の固定部材を当接させて保持枠に向けて押すことで、固定部材の係止部が保持枠の側面に向けて外側から回動して保持枠の係合部に係合して固定することができる。これにより、携帯端末を保持枠と固定枠とによって保持した状態を保つことができる。
【００１０】
また、前記固定部材は、該固定部材の回動軸に対して内側に前記携帯端末の第４辺に当接する当接部を有し、前記回動軸の外側に前記係止部を有していてもよい。このように構成すれば、保持枠に保持している携帯端末の第４辺に固定部材の当接部を当接させて固定枠を保持枠に向けて押すことで、携帯端末が当接している固定部材が回動軸に対して外側に位置する係止部が保持枠の側面に向けて回動させられて、係止部を係合部に係合させることができ、その係合した状態を適切に保つことができる。
【００１１】
また、前記係合部は、前記保持枠の厚み方向に設けられた係合ピンで構成され、前記固定部材の係止部は、前記係合ピンに係合して前記係合ピンの係合状態を保つ係止溝で構成されていてもよい。このように構成すれば、保持枠に設けた係合部たる係合ピンに向けて、固定枠に設けた固定部材の係止部たる係止溝を係合させて係合ピンとの係合状態を保ち、携帯端末を保持した状態を保つことができる。
【００１２】
また、前記係合部は、前記保持枠の側面から内側に延びる係合溝で構成され、前記固定部材の係止部は、前記係合溝に係合して係合状態を保つ係止片で構成されていてもよい。このように構成すれば、保持枠に設けた係合部たる係合溝に向けて、固定枠に設けた固定部材の係止部たる係止片を係止させて係合溝との係合状態を保ち、携帯端末を保持した状態を保つことができる。
【００１３】
また、前記固定部材は、プラスチック材で形成されていてもよい。このように構成すれば、固定部材の係止部を保持枠の係合部に係合させることで、プラスチック材の弾性変形によって係止状態を適切に保持することができる。
【００１４】
また、前記保持枠は、該保持枠で保持する前記携帯端末の裏面を保護する裏面カバー部と、前記裏面カバー部から延設されて前記携帯端末の表面をカバーする表面カバー部と、を有するカバー部材を備えていてもよい。このように構成すれば、硬質の保持枠と固定枠とによって保持された携帯端末の裏面と表面とをカバー部材で保護することができる。
【考案の効果】
【００１５】
本考案によれば、携帯端末の周囲を適切に保持することができる硬質の携帯端末用ケースを提供することが可能となる。
【図面の簡単な説明】
【００１６】
【図１】図１は、本考案の第１実施形態を示す携帯端末用ケースの斜視図である。
【図２】図２は、図１に示す携帯端末用ケースの保持枠から固定枠を外した状態の斜視図である。
【図３】図３は、図２に示す固定枠の固定部材を示す図面であり、（Ａ）は斜視図、（Ｂ）は側面図である。
【図４】図４は、図２に示す固定枠を保持枠に固定する図面であり、（Ａ）は固定前の平面図、（Ｂ）は固定状態の平面図である。
【図５】図５は、保持枠から固定枠を取り外す図面であり、（Ａ）は解除治具を固定部材に掛けた状態を示す斜視図、（Ｂ）は解除治具で固定部材を解除した状態を示す斜視図、（Ｃ）は解除治具で両方の固定部材を解除して固定枠を取り外した状態を示す斜視図である。
【図６】図６は、図１に示す携帯端末用ケースにカバーを取付けて携帯端末を保持した状態を示す斜視図である。
【図７】図７は、本考案の第２実施形態に係る携帯端末用ケースにおける固定枠の固定部材を示す斜視図である。
【図８】図８は、図７に示す固定枠を保持枠に固定する図面であり、（Ａ）は固定前の平面図、（Ｂ）は固定状態の平面図である。
【考案を実施するための形態】
【００１７】
以下、本考案の実施形態を図面に基づいて説明する。以下の実施形態における携帯端末用ケース１，２は、携帯端末１００（図６）を縦長に保持し、その左部を第１辺１０１、上部を第２辺１０２、右部を第３辺１０３、下部を第４辺１０４として説明する。この明細書及び実用新案登録請求の範囲の書類中における上下左右方向の概念は、図１に示す携帯端末用ケース１に向かった状態における上下左右方向の概念と一致するものとする。
【００１８】
［第１実施形態］
図１、図２に示すように、携帯端末用ケース１は、携帯端末１００の周囲における第１辺１０１から、第２辺１０２、第３辺１０３の３辺（図６）を保持する硬質の保持枠１０と、この保持枠１０に固定して携帯端末１００の第４辺１０４（図６）を保持する硬質の固定枠３０とを備えている。固定枠３０を保持枠１０に固定することで、携帯端末１００の周囲を保護する矩形状の枠が形成される（図１）。
【００１９】
上記保持枠１０は、内側面が携帯端末１００の各辺に沿うように形成された、第１辺部分１１と、第２辺部分１２と、第３辺部分１３との３辺部分からなる逆Ｕ字状となっている（図２）。この実施形態の保持枠１０は、アルミニウム材で形成された上枠１５と下枠１６と、これらの間に装着されたプラスチック材の中間部材１７とを有している。この実施形態では、製作上、上枠１５は、第１辺部分１１と第２辺部分１２と第３辺部分１３とを別部材で製作し、下枠１６と固定している。中間部材１７は、保持枠１０の上部における角部の２箇所と、第１辺部分１１と第３辺部分１３の長さ方向中央部に設けられている。中間部材１７をプラスチック材とし、この中間部材１７を携帯端末１００に接触させて保持するようにしている。プラスチック材による携帯端末１００の保持で、携帯端末１００を傷付けないようにしている。
【００２０】
また、保持枠１０の第１辺部分１１と第３辺部分１３の下端には、後述するように、固定枠３０に備えられた固定部材３７の係止部３８が係合する係合部１８が設けられている。この実施形態の係合部１８は、保持枠１０の上枠１５と下枠１６とを厚み方向に連結する係合ピン１８（係合部と同一符号を付す）で構成されている。
【００２１】
なお、保持枠１０は、携帯端末１００のスイッチなどが設けられた位置に、そのスイッチなどの操作が容易にできるよう、上枠１５に切欠き部１９，２０が設けられている。また、保持枠１０の下枠１６には、後述するようにカバー部材５０を取り付けるための取付穴２１が複数箇所に設けられている。
【００２２】
一方、上記固定枠３０は、内側面が携帯端末１００の第４辺１０４に沿うように形成された第４辺部分３４を有している。この固定枠３０は、上記保持枠１０の開口する部分である第４辺部分に配置され、保持枠１０に固定することで携帯端末１００の第４辺１０４（図６）を保持する枠となる。この固定枠３０も、この実施形態では、アルミニウム材で形成された上枠３５と下枠３６とを有している。
【００２３】
そして、この固定枠３０の上枠３５と下枠３６との間の角部には、携帯端末１００の第４辺１０４に当接させるとともに、上記保持枠１０に固定するための固定部材３７が設けられている。この固定部材３７は、上枠３５と下枠３６との間を厚み方向に連結する回動軸３９によって支持されており、この回動軸３９を中心に厚み方向と直交する方向に回動可能となっている。
【００２４】
固定部材３７には、上記した保持枠１０の係合部である係合ピン１８に係止する係止部３８が設けられている。この実施形態の係止部３８は、係合ピン１８に係止する係止溝３８（係止部と同一符号を付す）となっている。この係止溝３８の反回動軸側には、固定枠３０を固定した状態で保持枠１０の外縁よりも内側に入る爪部４０が設けられている。また、固定部材３７をプラスチック材とすることで、上記保持枠１０の係合ピン（係合部）１８に係合させて固定したときに弾性変形して固定状態を適切に保つことができる。
【００２５】
なお、固定枠３０の固定部材３７間の上枠３５と下枠３６との間も空間となっており、保持枠１０と固定枠３０とで保持した携帯端末１００の充電ケーブルなどを通す空間となっている。
【００２６】
図３（Ａ）、（Ｂ）にも示すように、上記固定部材３７には、上記回動軸３９に支持される支持穴４１を挟んで、固定枠３０の内側に位置する部分には携帯端末１００の第４辺１０４に当接する当接部４２が設けられ、上記保持枠１０の側面に位置する部分には保持枠１０に向けて外側から回動させて係合ピン１８に係止される係止溝３８が設けられている。
【００２７】
この係止溝３８は、上記係合ピン１８が入る部分には斜めの傾斜面３８ａを有し、最も深い位置には係合ピン１８の断面とほぼ合致する円形部分３８ｂが設けられている。また、傾斜面３８ａから円形部分３８ｂにつながる部分には、固定部材３７の回動中心となる回動軸３９を中心とする円形部分３８ｂの最外端の円弧Ｒよりも僅かに回動軸側に突出する突出部３８ｃが設けられている。これにより、保持枠１０の外側から回動させる固定部材３７に対し、係合ピン１８は傾斜面３８ａから突出部３８ｃを越えて円形部分３８ｂへと導かれて係合することになり、円形部分３８ｂに係合された係合ピン１８は突出部３８ｃによって係合状態を強固に保つことができる。また、上記係止溝３８の反回動軸側に、上記爪部４０が設けられている。
【００２８】
図４は、上記固定枠３０を保持枠１０に固定する図面である。図４（Ａ）に示すように、上記固定部材３７は、固定枠３０の上枠３５と下枠３６との間に設けられた回動軸３９を中心に回動するように設けられている。この固定部材３７の固定前は、固定部材３７の係止溝３８が保持枠１０の係合ピン１８から離れるように左右両外向きに開いた状態とする。
【００２９】
そして、図４（Ｂ）に示すように、固定部材３７の当接部４２を携帯端末１００の第４辺１０４に当接させ（図４（Ａ））、固定枠３０を保持枠１０に向けて移動させることで、係止溝３８が回動軸３９を中心に保持枠１０の外側から側面に向けて回動し、その傾斜面３８ａに沿って係合ピン１８を円形部分３８ｂに向けて案内し、この円形部分３８ｂに係合ピン１８を係合させることで固定枠３０が保持枠１０に固定される。
【００３０】
このように携帯端末１００を保持した状態の携帯端末用ケース１は、携帯端末１００の第４辺１０４が固定部材３７の当接部４２に当接した状態であるため、係止溝３８を係合ピン１８に係合させた状態を保つことができる。従って、携帯端末１００の周囲を保持枠１０と固定枠３０とによって保持した状態を保つことができる。
【００３１】
次に、図５（Ａ）〜（Ｃ）に基づいて、上記携帯端末用ケース１の保持枠１０から固定枠３０を取り外す手順を説明する。これらの図では、専用の解除治具４５を用いて固定枠３０を保持枠１０から取り外す例を説明する。
【００３２】
図５（Ａ）に示すように、まず解除治具４５の先端に設けられた掛け部４６（図５（Ｂ））を、保持枠１０の上枠１５と下枠１６との間に挿入し、固定部材３７の爪部４０（図３）に掛ける。
【００３３】
次に、図５（Ｂ）に示すように、解除治具４５の持ち部４７を下向きに引いて、固定部材３７の爪部４０を保持枠１０から外側に向けて離れるように回動させる。これにより、固定部材３７の係止溝３８が係合ピン１８（図４）に係合した状態を解除する。
【００３４】
次に、図５（Ｃ）に示すように、反対側の固定部材３７に設けられた爪部４０に解除治具４５の掛け部４６を掛けて、上記した説明と同様に、解除治具４５の持ち部４７を下向きに引いて固定部材３７の爪部４０を保持枠１０から外側に向けて離れるように回動させて、固定部材３７の係止溝３８が係合ピン１８に係合した状態を解除する。これにより、固定枠３０を保持枠１０から取り外すことができる。
【００３５】
しかも、固定部材３７の爪部４０を外向きに回動させることで、携帯端末１００に当接部４２が当接している固定部材３７は、回動軸３９の部分が保持枠１０から離れる方向に移動させられる。そのため、保持枠１０から固定枠３０を容易に取り外すことができる。
【００３６】
図６は、上記携帯端末用ケース１にカバー部材５０を取付け、携帯端末１００を保持した状態を示す斜視図である。上記携帯端末用ケース１にカバー部材５０を設ける場合、保持枠１０の下枠１６に設けられた取付穴２１に携帯端末１００の裏面を保護する裏面カバー部５１を固定し、この裏面カバー部５１から携帯端末１００の表面をカバーする表面カバー部５２が延設されるように取り付けられる。この実施形態では、表面カバー部５２は、携帯端末用ケース１の側辺部分で折り曲げて携帯端末１００の表面を覆うように被せる（二点鎖線で一部を示す）。図は、表面カバー部５２を開放し、携帯端末１００を見る状態を示している。この実施形態では、表面カバー部５２を側方に開放する例を示しているが、表面カバー部５２を下方や上方に開放するような構成でもよい。
【００３７】
［第２実施形態］
図７は、第２実施形態に係る携帯端末用ケース２（図８）における固定枠３０の固定部材７７を示す平面図であり、図８は、固定枠３０を保持枠１０に固定する図面であり、（Ａ）は固定前の平面図、（Ｂ）は固定状態の平面図である。図８（Ａ）、（Ｂ）における保持枠１０は、中間部材１７を実線で示している。
【００３８】
この第２実施形態は、上記第１実施形態とは固定枠３０を保持枠１０に係止する構成が異なり、保持枠１０の係合部が係合溝６８で構成され、固定枠３０の係止部が係止片７８で構成されている。この実施形態の係合溝６８は、保持枠１０の上枠１５と下枠１６との間に設けられる中間部材１７に設けられている。他の構成は上記第１実施形態と同一であるため、携帯端末用ケース２の下部のみを図示し、第１実施形態と同一の構成には同一符号を付し、その説明は省略する。
【００３９】
図７に示すように、この実施形態の固定部材７７は、回動軸３９に支持される支持穴８１を挟んで、固定枠３０の内側に位置する部分には携帯端末１００の第４辺１０４（図４（Ａ））に当接する当接部８２が設けられ、上記保持枠１０の側面に位置する部分には保持枠１０に向けて外側から回動させて係合溝６８（図８（Ａ））に係止される係止片７８が突設されている。また、上記係止片７８の反回動軸側に、爪部８０が設けられている。
【００４０】
なお、この実施形態の固定部材７７においても、上記第１実施形態と同様に、係止片７８の先端部分と、この先端部分と係合する係合溝６８の部分を、回動軸３９を中心とする係止片７８と係合溝６８との係合面の円弧よりも僅かに回動軸側に位置するようにして、係合状態をより強固に保つようにしてもよい。
【００４１】
図８（Ａ）に示すように、上記固定部材７７は、固定枠３０の上枠３５と下枠３６との間に設けられた回動軸３９を中心に回動するように設けられている。この固定部材７７の固定前は、固定部材７７の係止片７８が保持枠１０の係合溝６８から離れるように左右両外向きに開いた状態とする。
【００４２】
そして、図８（Ｂ）に示すように、固定部材７７の当接部８２を携帯端末１００の第４辺１０４に当接させ（図８（Ａ））、固定枠３０を保持枠１０に向けて移動させることで、係止片７８が回動軸３９を中心に保持枠１０の外側から側面に向けて回動し、その係止片７８を保持枠１０の係合溝６８に係合させることで固定枠３０が保持枠１０に固定される。
【００４３】
このように携帯端末１００を保持した状態の携帯端末用ケース２は、携帯端末１００の第４辺１０４が固定部材７７の当接部８２に当接した状態であるため、係止片７８を係合溝６８に係合させた状態を保つことができる。従って、携帯端末１００の周囲を保持枠１０と固定枠３０とによって保持した状態を保つことができる。
【００４４】
なお、固定枠３０を保持枠１０から取り外して携帯端末１００を取り出す場合、上記図５（Ａ）〜（Ｃ）に示した操作と同様に、固定部材７７の爪部８０を外向きに回動させて係止片７８を係合溝６８から外すことで、携帯端末１００に当接部８２が当接している固定部材７７は、回動軸３９の部分が保持枠１０から離れる方向に移動させられる。そのため、保持枠１０から固定枠３０を容易に取り外すことができる。
【００４５】
［総括］
以上のように、上記携帯端末用ケース１，２によれば、保持枠１０によって携帯端末１００の３辺を保持し、この保持枠１０の開口部分に固定する固定枠３０で携帯端末１００の残りの１辺を保持することができ、携帯端末１００の周囲を硬質の枠体で適切に保持することができる。
【００４６】
しかも、固定枠３０に設けられた固定部材３７，７７により、携帯端末１００の１辺をこの固定部材の当接部４２，８２に当接させた状態で保持枠１０に向けて押すことで、固定部材３７，７７の係止部３８，７８が保持枠１０の側方から保持枠１０に向けて回動して係合部１８，６８に係合されて、携帯端末１００を保持することが容易に可能となる。
【００４７】
その上、保持枠１０に裏面カバー部５１と表面カバー部５２とが一体となったカバー部材５０を設けることで、その携帯端末１００をカバー部材５０でカバーできるとともに、携帯端末用ケース１，２を好ましいデザインにすることが容易にできる。
【００４８】
なお、上記した実施形態では、携帯端末１００を縦長に保持し、その左部の第１辺１０１、上部の第２辺１０２、右部の第３辺１０３を保持枠１０で保持し、下部の第４辺１０４を固定枠３０で保持する例を説明したが、右部の第３辺１０３の部分を固定枠３０で保持する構成や、上部の第２辺１０２の部分を固定枠３０で保持する構成であってもよく、保持枠１０と固定枠３０との位置は、上記実施形態に限定されるものではない。
【００４９】
また、上記した実施形態では、保持枠１０と固定枠３０とにアルミニウム材を用いた例を説明したが、例えば、チタン材や硬質プラスチック材などを用いてもよく、カバー部材５０の材質も、皮革、合成皮革などを用いることで高級感やデザインを持たせることができ、材質などは上記実施形態に限定されるものではない。
【００５０】
さらに、上記した実施形態は一例を示しており、本考案の要旨を損なわない範囲での種々の変更は可能であり、本考案は上記した実施形態に限定されるものではない。
【符号の説明】
【００５１】
１  携帯端末用ケース
２  携帯端末用ケース
１０  保持枠
１１  第１辺部分
１２  第２辺部分
１３  第３辺部分
１５  上枠
１６  下枠
１７  中間部材
１８  係合ピン（係合部）
３０  固定枠
３４  第４辺部分
３５  上枠
３６  下枠
３７  固定部材
３８  係止溝（係止部）
３９  回動軸
４０  爪部
４１  支持穴
４２  当接部
５０  カバー部材
５１  裏面カバー部
５２  表面カバー部
６７  固定部材
６８  係合溝（係合部）
７７  固定部材
７８  係止片（係止部）
８０  爪部
８１  支持穴
８２  当接部
１００  携帯端末
１０１  第１辺
１０２  第２辺
１０３  第３辺
１０４  第４辺
【図１】
0003198459.tif 000003
【図２】
0003198459.tif 000004
【図３】
0003198459.tif 000005
【図４】
0003198459.tif 000006
【図５】
0003198459.tif 000007
【図６】
0003198459.tif 000008
【図７】
0003198459.tif 000009
【図８】
0003198459.tif 000010